(57)【特許請求の範囲】
【請求項１】
人体の少なくとも一部からの圧力を受けることが可能な平面状の第１電極と、
前記第１電極と離隔して対向する平面状の第２電極と、
前記第１電極と前記第２電極との間に介在する導電部と、
前記第１電極と前記第２電極との接続抵抗値、前記第１電極と前記第２電極との導電電流値、前記第１電極と前記第２電極との導電電圧値の少なくとも一つを計測する計測部と、
前記接続抵抗値、前記導電電流値および前記導電電圧値の少なくとも一つにおける、大きさ、変化状態、変化量、微分量、時間との関係および積分値の少なくとも一つに基づいて、前記人体の状態を推定する推定部と、を備え、
前記第１電極に付与される人体の圧力によって、前記第１電極および前記第２電極は、前記導電部を介して電気的に接続し、
前記第1電極、前記第２電極および前記導電部は、ベッドの座面であって前記人体の上半身に対応する位置に配置され、
前記計測部は、前記接続抵抗値を、「大」、「中」、「小」のいずれかで計測し、
前記推定部は、
（１）前記接続抵抗値が、「大」と「小」を、繰り返す場合、
（２）所定期間における「大」となる時間量が、所定数以上である場合、
（３）所定期間において、前記接続抵抗値が、「大」、「中」、「小」同士の変化を、頻発する場合、
の少なくとも一つである場合に、前記人体を、危険状態であると推定する、人体センサー。
【請求項２】
前記推定部は、
（１）前記接続抵抗値が、所定時間内に、「小」から「大」に変化する場合、
（２）前記接続抵抗値が、所定時間内に、「大」から「小」に変化する場合、
の少なくとも一つである場合に、前記人体を、危険状態であると推定する、請求項１記載の人体センサー。
【請求項３】
前記第１電極、前記導電部および前記第２電極は、前記ベッドの座面であって、前記人体の上半身および下半身に設置される場合において、
前記計測部は、前記上半身における上部接続抵抗値と前記下半身における下部接続抵抗値と、のそれぞれを、「大」、「中」、「小」のいずれかで計測し、
（１）前記上部接続抵抗値が「小」もしくは「中」であって、前記下部接続抵抗値が「大」である、
（２）前記上部接続抵抗値が「大」であって、前記下部接続抵抗値が「小」もしくは「中」である、
の少なくとも一つである場合に、前記人体を、危険状態であると推定する、請求項１または２記載の人体センサー。
【請求項４】
前記推定部は、所定期間以上に渡って、前記接続抵抗値が「大」である場合には、前記人体を、徘徊状態であると推定する、請求項１記載の人体センサー。
【請求項５】
前記推定部は、
（１）前記接続抵抗値が、ある時点で「中」である場合、
（２）前記接続抵抗値が、「小」と「中」を繰り返す場合、
（３）所定期間における前記接続抵抗値の平均値が、「中」である場合、
の少なくとも一つである場合に、前記人体を、寝返り状態であると推定する、請求項１から４のいずれか記載の人体センサー。
【請求項６】
前記導電部が、前記人体の幅方向に分割されるように、複数の区画に分割される場合に、
前記計測部は、前記複数の区画のそれぞれにおける接続抵抗値を計測し、
前記推定部は、
（１）前記複数の区画において、ある時点で、いずれかの端部の区画における前記接続抵抗値が、中央部の区画における前記接続抵抗値よりも小さい場合、
（２）所定期間における端部の区画における前記接続抵抗値の積分値が、所定期間における中央部の区画における前記接続抵抗値の積分値よりも小さい場合、
の少なくとも一つである場合に、前記人体を、寝返り状態であると推定する、請求項１から４のいずれか記載の人体センサー。
【請求項７】
前記推定部は、
（１）前記接続抵抗値が、ある時点で「大」である場合、
（２）所定期間における前記接続抵抗値の平均値が、「大」である場合、
（３）所定期間以上に渡って、前記接続抵抗値が、「大」である場合、
の少なくとも一つである場合に、前記人体を、離床状態であると推定する、請求項１から６のいずれか記載の人体センサー。
【請求項８】
前記推定部は、
（１）前記接続抵抗値が、「大」となる前に、「小」、「中」の順序で、変化する場合、
（２）前記接続抵抗値が、「大」となる前に、「中」の状態を示す場合、
のいずれかの場合に、前記人体は、正常な離床であると推定する、請求項７記載の人体センサー。
【請求項９】
前記推定部は、前記接続抵抗値が「大」であると計測された時点から、所定期間内に前記接続抵抗値が「小」もしくは「中」となる場合には、前記人体を、着床状態であると推定する、請求項７記載の人体センサー。
【請求項１０】
前記推定部は、前記接続抵抗値が「大」となる前に、「小」の状態を示していた場合に、前記人体は、転落による離床であると推定する、請求項７記載の人体センサー。
【請求項１１】
前記計測部および前記推定部は、前記第１電極および前記第２電極と、有線もしくは無線によって電気的に接続されることで、前記第１電極、前記導電部および前記第２電極と離隔できる、請求項１から１０のいずれか記載の人体センサー。
【請求項１２】
前記推定部の推定結果を、管理部門に通知する通知部を更に備える、請求項１１から１１のいずれか記載の人体センサー。
【請求項１３】
前記通知部は、音、発光、施設内放送および電子メールの少なくとも一つを用いて警告を発する、請求項１２記載の人体センサー。
【請求項１４】
前記推定部の推定結果に基づいて、照明機器、空調機器、映像機器および音響機器の少なくとも一つを調整する、調整部を更に備える、請求項１から１３のいずれか記載の人体センサー。
【請求項１５】
前記調整部は、前記推定結果が寝返り状態である場合に、前記照明機器の照度を低減する、請求項１４記載の人体センサー。
【請求項１６】
前記調整部は、前記推定結果が寝返り状態である場合に、前記空調機器が暖房であれば、前記設定温度を低下させ、前記空調機器が冷房であれば、前記設定温度を上昇させる、請求項１４又は１５記載の人体センサー。
【請求項１７】
前記調整部は、前記推定結果が離床状態である場合に、前記照明機器、前記空調機器、前記映像機器および前記音響機器の少なくとも一つを、停止状態とする、請求１４記載の人体センサー。
【請求項１８】
請求項１から１７のいずれか記載の人体センサーと、
前記人体センサーからの推定結果を受信する受信手段と、
前記受信手段の受信結果を管理者に通知する通知手段と、を備える、安全管理装置。
【発明の詳細な説明】
【技術分野】
【０００１】
本発明は、病院、介護施設、老人施設など、患者や介護対象者などの使用者が使用するベッドにおいて、使用者の体位状態を検出して、使用者の管理や事故防止などを実現する人体センサーおよび安全管理装置に関する。
【背景技術】
【０００２】
近年、我が国を初めとして多くの国において高齢化が進んでいる。高齢化が進むのに合わせて、病気や怪我による入院患者が増加したり、高齢化によって介護が必要な介護対象者が増加したりする傾向が生じている。入院患者や介護対象者は、病院、介護施設、老人施設などに、入院や入所することが多く、病状や介護状態によっては、多くの時間をベッドで過ごす。
【０００３】
このように多くの時間をベッドで過ごす患者や介護対象者は、ベッドへの就寝状態を長くし続けたり、介護者による過剰な介護を受けたりすることで、次第に身心を衰えさせるようになる。このように身心が衰えてしまうと、寝たきりとなってしまい、患者や介護対象者にとっては好ましくない。また、寝たきり者が増加することは、健康保険や介護保険などの公的保険予算を圧迫する社会的な問題を引き起こしかねない。
【０００４】
このため、患者や介護対象者には、なるべく日常生活を自力で行うことが求められている。例えば、排泄、食事、診察室訪問などを、患者や介護対象者は、自力で行うことが好ましい。日常生活に必要な動作をなるべく自分で行うことで、寝たきりとなることが防止されるからである。あるいは、ベッドに寝ている状態であっても、身心の衰えを防止するために、患者や介護対象者は、ベッド上で寝返りをしたり上半身を起こしたりなどの運動をすることも重要である。
【０００５】
このように、患者や介護対象者は、寝たきりとなることを防止したり早期に退院や退所を可能としたりできるように、自力でベッド上で動いたり、ベッドから降りたりすることを求められている。
【０００６】
しかしながら、患者や介護対象者が、ベッド上で動いたり、自らベッドから降りたりすることは、患者や介護対象者にとって危険性も生じる。例えば、患者や介護対象者が、ベッドから落下したり、ベッドから降りるときに転倒したりしている可能性もある。特に、患者や介護対象者は、身体能力が衰えていて落下や転倒してしまう可能性もある。あるいは、患者や介護対象者は、精神不安定によって、ベッド上で予測不能な動作を生じさせることもある。
【０００７】
病院、介護施設、老人施設では、このような患者や介護対象者の危険性や予測不能な動作を発見して、怪我や事故を防止することが必要である。怪我や事故が生じれば、賠償問題となったり病院や介護施設の信頼性低下問題となったりするからである。しかし、患者や介護対象者を一人ひとり監視することは人材確保や費用の面から現実的ではない。もちろん、介護作業者が、患者や介護対象者を、介護作業の傍らで監視することも業務効率や人材確保の面から現実的ではない。
【０００８】
このように、既に巨大産業となりつつある医療や介護の現場においては、患者や介護対象者にとっての危険性を、人材や予算との折り合いをつけながら予測することが求められている。
【０００９】
このような状況において、ベッドや座席などにおける着座や着席状態を検出する種々の技術が提案されている（例えば、特許文献１〜４参照）。これらは、ベッドや座席に着座しているのか起床しているのかを、自動で検出して通知する技術を提案している。
【先行技術文献】
【特許文献】
【００１０】
【特許文献１】特開平５−２４５１４９号公報
【特許文献２】特開平６−３１５４２４号公報
【特許文献３】特開平７−２３７４８７号公報
【特許文献４】特開２００６−８０９８号公報
【発明の概要】
【発明が解決しようとする課題】
【００１１】
特許文献１は、自動車や輸送乗用車の座席において、圧電素子による着席者の着席圧力と心拍数に基づいて、着席者の乗り物酔いを検出する乗り物酔い検出装置を開示する。
【００１２】
特許文献１に開示される技術は、圧電素子に基づく圧力変化と心拍数を用いて、乗り物酔いを検出できるが、着席者の状態を細かに検出することはできない。例えば、着席者が、着座しているのか、どの程度の着座状態であるのか、降りているのか、危険な状態であるのか、といった細かな点を検出できるわけではない。加えて、特許文献１の技術は、圧電素子の圧力変化から心拍数の変化を検出するために、乗り物酔いを検出する精度が低くなる問題や、心拍数変換などの装置や機器を必要とする問題を有している。
【００１３】
当然ながら、特許文献１の技術は、座席を前提とした乗り物酔い検出を企図しており、ベッドに着床している患者や介護対象者の体位予測や危険性予測を行う技術への展開が困難である問題も有している。
【００１４】
特許文献２は、複数の温度センサおよび湿度センサをベッドの座面に配置して、就寝者の体温や湿度を検知し、就寝者の快適状態を維持するようにベッド内部に送風する送風手段を備えるベッド装置を開示する。すなわち、特許文献２に開示される技術は、ベッド装置が検出できる温度や湿度によって、就寝者の快適／不快度合いを推定し、就寝者に快適な就寝環境を提供できる。
【００１５】
しかしながら、特許文献２に開示される技術は、就寝者の体温や湿度を検出できるのみであり、就寝者の体位や状況を細かに推定できるものではない。このため、特許文献２に開示される技術やこれが応用される技術であっても、患者や介護対象者が、ベッド上でどのような体位となっているか、危険な状態であるか、といったことを推測できない問題を有している。
【００１６】
特許文献３は、座席の背もたれに装着された感圧素子によって、座席に在籍しているかどうかを検出する在席検出装置を開示する。
【００１７】
特許文献３も、特許文献１、２と同様に、座席に着席しているのか着席していないのかといったデジタル的な検出を行うことしかできない。もちろん、特許文献３に開示される技術あるいはこれを応用した技術は、患者や介護対象者が、ベッド上でどのような体位となっているか、危険な状態であるかといったことを推測できない問題を有している。
【００１８】
特許文献４は、座席の圧力検知とカメラを用いて、自動車の座席の着座状態を制御する座席制御装置を開示する。
【００１９】
しかしながら、特許文献４も特許文献１〜３と同様の問題を有している。
【００２０】
特許文献１〜４のように、従来技術の着座や着席検出装置に関する技術は、次のような問題を有している。
（問題１）着座しているかもしくはしていないかのデジタル的な検出しかできない。
（問題２）着座状態を検出しても、使用者の危険性や危険の蓋然性を推測することができない。
（問題３）患者や介護対象者など、健康体の人間と異なる使用者の予測不能な動作を検出しつつ、危険性や危険蓋然性を推測することができない。
また、特許文献１〜４の技術をベッドに応用したとしても、次の問題を生じさせる。
（問題４）患者や介護対象者などのベッドを使用している使用者のベッド上での問題のある体位変化や離床状態を予測できない。
これら問題１〜問題４の結果として、従来技術は次の問題５も有している。
（問題５）患者や介護対象者の危険性や危険蓋然性を、遠隔状態で予測して、危険状態を未然防止できない。
【００２１】
本発明は、上記課題に鑑み、これらの問題１〜５を解消でき、簡便かつ使用者への不快感を伴わない設置を可能とし、高い精度で危険を予測できる人体センサーおよび安全管理装置を提供することを目的とする。
【課題を解決するための手段】
【００２２】
上記課題に鑑み、本発明の人体センサーは、人体の少なくとも一部からの圧力を受けることが可能な平面状の第１電極と、
第１電極と離隔して対向する平面状の第２電極と、
第１電極と第２電極との間に介在する導電部と、
第１電極と第２電極との接続抵抗値、第１電極と第２電極との導電電流値、第１電極と第２電極との導電電圧値の少なくとも一つを計測する計測部と、
接続抵抗値、導電電流値および導電電圧値の少なくとも一つにおける、大きさ、変化状態、変化量、微分量、時間との関係および積分値の少なくとも一つに基づいて、人体の状態を推定する推定部と、を備え、
第１電極に付与される人体の圧力によって、第１電極および第２電極は、導電部を介して電気的に接続し、
第1電極、第２電極および導電部は、ベッドの座面であって人体の上半身に対応する位置に配置され、
計測部は、接続抵抗値を、「大」、「中」、「小」のいずれかで計測し、
推定部は、
（１）接続抵抗値が、「大」と「小」を、繰り返す場合、
（２）所定期間における「大」となる時間量が、所定数以上である場合、
（３）所定期間において、接続抵抗値が、「大」、「中」、「小」同士の変化を、頻発する場合、
の少なくとも一つである場合に、人体を、危険状態であると推定する。

【発明の効果】
【００２３】
本発明の人体センサーは、電極で得られる抵抗値に基づいて、ベッドの使用者の体位変化や離床を高い精度で検出できる。特に、抵抗値の変化、抵抗値と時間量の関係から、高い精度で使用者の体位変化や離床を検出できる。加えて、検出できる体位変化などにおいて、危険性や危険蓋然性のある状態を特定して検出できるので、病院や介護施設での、患者や介護対象者の危険性を防止できる。
【００２４】
また、これらの危険性の推測は、遠隔的かつ集中的に行うことができるので、安全管理に必要となる人材負担が軽減され、病院や介護における費用やコストも低減できる。
【００２５】
更に、危険性が予測されることで、患者や介護対象者も安心してベッドの上で動作したり、ベッドから降りたりすることができるので、患者や介護対象者が寝たきりになりにくくなる。これは、病院や介護施設にとっても同様で、安全の確保が容易となった状態で、患者や介護対象者にベッド上での運動や自力での歩行を促すことができるようになる。これらが相まって、患者の寝たきりへの移行が軽減され、健康保険や介護保険などの予算にとっても好適である。
【図面の簡単な説明】
【００２６】
【図１】本発明の実施の形態１におけるベッドに使用者が就寝している状態を示す模式図である。
【図２】本発明の実施の形態１における人体センサーのブロック図である。
【図３】本発明の実施の形態１における人体センサーのブロック図である。
【図４】本発明の実施の形態１における接続抵抗値の分類を示すグラフである。
【図５】本発明の実施の形態１における寝返り状態を推定する場合の接続抵抗値の変化を示すグラフである。
【図６Ａ】本発明の実施の形態１における複数の区画を有する本体部の模式図である。
【図６Ｂ】本発明の実施の形態１における区画に分割された導電部と人体との関係を示す模式図である。
【図７】本発明の実施の形態１における危険状態の推定２の基礎となる接続抵抗値の変化を示すグラフである。
【図８】本発明の実施の形態における人体センサーを設置した状態を示す模式図である。
【図９】本発明の実施の形態２における人体センサーのブロック図である。
【図１０】本発明の実施の形態３における人体センサーのブロック図である。
【図１１】本発明の実施の形態４における安全管理装置の模式図である。
【発明を実施するための形態】
【００２７】
本発明の第１の発明に係る人体センサーは、人体の少なくとも一部からの圧力を受けることが可能な平面状の第１電極と、第１電極と離隔して対向する平面状の第２電極と、第１電極と第２電極との間に介在する導電部と、第１電極と第２電極との接続抵抗値、第１電極と第２電極との導電電流値、第１電極と第２電極との導電電圧値の少なくとも一つを計測する計測部と、接続抵抗値、導電電流値および導電電圧値の少なくとも一つにおける、大きさ、変化状態、変化量、時間との関係および積分値の少なくとも一つに基づいて、人体の状態を推定する推定部と、を備え、第１電極に付与される人体の圧力によって、第１電極および第２電極は、導電部を介して電気的に接続する。
【００２８】
この構成により、人体センサーは、導電状態のみに基づいて、人体の体位や姿勢などを推定できる。また、第１電極などは、柔軟性を有する平面状であるので、設置することにより人体へ不快感を与えない。
【００２９】
本発明の第２の発明に係る人体センサーでは、第１の発明に加えて、計測部および推定部は、第１電極および第２電極と、有線もしくは無線によって電気的に接続されることで、第１電極、導電部および第２電極と離隔できる。
【００３０】
この構成により、人体に設置される必要のある要素と、推定等に係る要素とを、離隔して設置できる。結果として、設置が容易となり、普及を後押しする。
【００３１】
本発明の第３の発明に係る人体センサーでは、第１又は第２の発明に加えて、人体センサーにおいて、少なくとも第１電極、第２電極および導電部は、人体の下面に配置される。
【００３２】
この構成により、第１電極などは、人体の圧力変化を受けて、接続抵抗値などを変化させる。
【００３３】
本発明の第４の発明に係る人体センサーでは、第１から第３のいずれかの発明に加えて、人体センサーにおいて、少なくとも第１電極、第２電極および導電部は、ベッドの座面に配置される。
【００３４】
この構成により、人体センサー特に第１電極などの設置が容易となる。また、人体センサーは、ベッド上での生活時間の多い患者や介護対象者の状態を推定できる。
【００３５】
本発明の第５の発明に係る人体センサーでは、第１から第４のいずれかの発明に加えて、第１電極、第２電極および導電部は、ベッドの座面において、人体の上半身に対応する位置に配置される。
【００３６】
この構成により、人体センサーは、人体の状態をより高い精度で推定できる。上半身の動きが、人体の姿勢や体位変化を示しやすいからである。
【００３７】
本発明の第６の発明に係る人体センサーでは、第５の発明に加えて、計測部は、接続抵抗値を、「大」、「中」、「小」のいずれかで計測し、推定部は、（１）接続抵抗値が、ある時点で「中」である場合、（２）接続抵抗値が、「小」と「中」を繰り返す場合、（３）所定期間における接続抵抗値の平均値が、「中」である場合、との少なくとも一つである場合に、人体を、寝返り状態であると推定する。
【００３８】
この構成により、推定部は、人体の寝返り状態を高い精度で推定できる。
【００３９】
本発明の第７の発明に係る人体センサーでは、第５の発明に加えて、導電部が、人体の幅方向に分割されるように、複数の区画に分割される場合に、計測部は、複数の区画のそれぞれにおける接続抵抗値を計測し、推定部は、（１）複数の区画において、ある時点で、いずれかの端部の区画における接続抵抗値が、中央部の区画における接続抵抗値よりも小さい場合、（２）所定期間における端部の区画における接続抵抗値の積分値が、所定期間における中央部の区画における接続抵抗値の積分値よりも小さい場合、との少なくとも一つである場合に、人体を、寝返り状態であると推定する。
【００４０】
この構成により、推定部は、人体の寝返り状態を高い精度で推定できる。
【００４１】
本発明の第８の発明に係る人体センサーでは、第５の発明に加えて、計測部は、接続抵抗値を、「大」、「中」、「小」のいずれかで計測し、推定部は、（１）接続抵抗値が、ある時点で「大」である場合、（２）所定期間における接続抵抗値の平均値が、「大」である場合、（３）所定期間以上に渡って、接続抵抗値が、「大」である場合、との少なくとも一つである場合に、人体を、離床状態であると推定する。
【００４２】
この構成により、推定部は、離床状態を高い精度で推定できる。
【００４３】
本発明の第９の発明に係る人体センサーでは、第８の発明に加えて、推定部は、（１）接続抵抗値が、「大」となる前に、「小」、「中」の順序で、変化する場合、（２）接続抵抗値が、「大」となる前に、「中」の状態を示す場合、とのいずれかの場合に、人体は、正常な離床であると推定する。
【００４４】
この構成により、推定部は、離床においても正常な離床であることを推定できる。結果として、管理部門の手間を削減できる。
【００４５】
本発明の第１０の発明に係る人体センサーでは、第８の発明に加えて、推定部は、接続抵抗値が「大」であると計測された時点から、所定期間内に接続抵抗値が「小」もしくは「中」となる場合には、人体を、着床状態であると推定する。
【００４６】
この構成により、推定部は、着床としてまとめてよい離床状態を推定できる。この結果、管理部門の手間を削減できる。
【００４７】
本発明の第１１の発明に係る人体センサーでは、第８の発明に加えて、推定部は、接続抵抗値が「大」となる前に、「小」の状態を示していた場合に、人体は、転落による離床であると推定する。
【００４８】
この構成により、推定部は、問題ある状態を即座に推定できる。結果として、患者や介護対象者の安全確保が図られる。
【００４９】
本発明の第１２の発明に係る人体センサーでは、第５の発明に加えて、計測部は、接続抵抗値を、「大」、「中」、「小」のいずれかで計測し、推定部は、（１）接続抵抗値が、「大」と「小」を、繰り返す場合、（２）所定期間における「大」となる回数が所定数以上である場合、（３）所定期間における「大」となる時間量が、所定数以上である場合、（４）所定期間において、接続抵抗値が、「大」、「中」、「小」同士の変化を、頻発する場合、との少なくとも一つである場合に、人体を、危険状態であると推定する。
【００５０】
この構成により、推定部は、患者や介護対象者の危険性を、早期に推定できる。結果として、患者や介護対象者の安全性が高まり、管理部門の信頼性も高まる。
【００５１】
本発明の第１３の発明に係る人体センサーでは、第５の発明に加えて、計測部は、接続抵抗値を、「大」、「中」、「小」のいずれかで計測し、推定部は、（１）接続抵抗値が、所定時間内に、「小」から「大」に変化する場合、（２）接続抵抗値が、所定時間内に、「大」から「小」に変化する場合、の少なくとも一つである場合に、人体を、危険状態であると推定する。
【００５２】
本発明の第１４の発明に係る人体センサーでは、第５の発明に加えて、計測部は、接続抵抗値を、「大」、「中」、「小」のいずれかで計測し、推定部は、所定期間以上に渡って、接続抵抗値が「大」である場合には、人体を、危険状態であると推定する。
【００５３】
本発明の第１５の発明に係る人体センサーでは、第４の発明に加えて、第１電極、導電部および第２電極は、ベッドの座面であって、人体の上半身および下半身に設置される場合において、計測部は、上半身における上部接続抵抗値と下半身における下部接続抵抗値と、のそれぞれを、「大」、「中」、「小」のいずれかで計測し、（１）上部接続抵抗値が「小」もしくは「中」であって、下部接続抵抗値が「大」である、（２）上部接続抵抗値が「大」であって、下部接続抵抗値が「小」もしくは「中」である、との少なくとも一つである場合に、人体を、危険状態であると推定する。
【００５４】
これらの構成により、推定部は、患者や介護対象者の危険性を、早期に推定できる。結果として、患者や介護対象者の安全性が高まり、管理部門の信頼性も高まる。
【００５５】
本発明の第１６の発明に係る人体センサーでは、第１から第１５のいずれかの発明に加えて、推定部の推定結果を、管理部門に通知する通知部を更に備える。
【００５６】
この構成により、人体センサーは、管理部門への早期の警告を促すことができる。
【００５７】
本発明の第１７の発明に係る人体センサーでは、第１６の発明に加えて、通知部は、音、発光、施設内放送および電子メールの少なくとも一つを用いて警告を発する。
【００５８】
この構成により、管理部門は、即座に対応できる。
【００５９】
本発明の第１８の発明に係る人体センサーでは、第１から第１７のいずれかの発明に加えて、推定部の推定結果に基づいて、照明機器、空調機器、映像機器および音響機器の少なくとも一つを調整する、調整部を更に備える。
【００６０】
この構成により、人体センサーは、患者や介護対象者に、更なる快適性を提供できる。
【００６１】
本発明の第１９の発明に係る人体センサーでは、第１８の発明に加えて、調整部は、推定結果が寝返り状態である場合に、照明機器の照度を低減する。
【００６２】
この構成により、患者や介護対象者の寝苦しさを解消できる。
【００６３】
本発明の第２０の発明に係る人体センサーでは、第１８又は第１９の発明に加えて、調整部は、推定結果が寝返り状態である場合に、空調機器が暖房であれば、設定温度を低下させ、空調機器が冷房であれば、設定温度を上昇させる。
【００６４】
この構成により、患者や介護対象者の寝苦しさを解消できる。
【００６５】
本発明の第２１の発明に係る人体センサーでは、第１８の発明に加えて、調整部は、推定結果が離床状態である場合に、照明機器、空調機器、映像機器および音響機器の少なくとも一つを、停止状態とする。
【００６６】
この構成により、エコや省エネが実現される。
【００６７】
以下、図面を参照しながら、本発明の実施の形態を説明する。
【００６８】
（実施の形態１）
【００６９】
（全体概要）
図１〜図３を用いて本発明の実施の形態１における人体センサーの概要を説明する。最初に、図１を用いて、使用者である患者や介護対象者がベッドに就寝している場合の危険性について説明する。図１は、本発明の実施の形態１におけるベッドに使用者が就寝している状態を示す模式図である。図１は、ベッドを側面から見た状態を示している。
【００７０】
ベッド１１の座面１２には、人体１０が就寝している。ここで、就寝とは、寝ている状態のみを意味するのではなく、意識としては起きているが横たわっていたり、病気療養のために横たわっていたりする状態も意味する。要は、病気や怪我をしている患者や介護対象者が、横たわっている状態である。
【００７１】
病院や介護施設などに設置されているベッド１１は、診療や介護の利便性のために、腰高の高さであること多く、図１に示されるように脚部１３を備えている。脚部１３によって、ベッド１１は腰高程度の高さを有することになり、ベッド１１の座面１２の高さ、すなわち人体１０の就寝している高さは、腰高程度の高さとなる。座面１２には、シーツ１４が敷いてあり、シーツ１４の下に人体センサー１の本体部２が設置されている。本体部２には、人体１０による人体の少なくとも一部からの圧力が付与される。
【００７２】
患者や介護対象者である人体１０であって、実施の形態１の人体センサー１による管理が必要な人体１０は、身心に衰えや障害を有していることが多い。このため、このような人体１０は、ベッド１０から降りたり、ベッド１０の上で体位を変えたりなどの動作に不具合を感じる。人体１０は、予測できない不測の動作によって、ベッド１１から落下したり、徘徊行動をしたりすることもある。ベッド１１は、上述の通り、腰高程度の高さを有しているので、落下すると人体１０は怪我をする恐れもある。人体１０にとってはもちろんのこと、管理責任のある病院や介護施設にとっても、回避すべきリスクである。
【００７３】
あるいは、落下した後で、落下した人体１０が長時間放置されると、怪我がひどくなったり、点滴治療が中断されたりすることによる容態の急変が生じる問題もある。このため、ベッド１１に就寝している人体１０が、落下や徘徊の危険性を有していないか、あるいは落下した後で放置状態になっていないか、といったことが、簡便かつ正確に把握され管理されることが重要である。当然ながら、病院や介護施設などは、人的負担を減らしつつ、管理することを必要とする。
【００７４】
実施の形態１における人体センサー１は、人体１０の少なくとも一部からの圧力を受けることが可能なように、その本体部２を人体１０の下に設置される。この圧力によって、人体センサー１は、接続抵抗値を変化させて、人体１０の状態を推測する。この推測された状態によって、管理者は、人体１０の危険性や問題を早期に把握することができる。
【００７５】
図２は、本発明の実施の形態１における人体センサーのブロック図である。図３は、本発明の実施の形態１における人体センサーのブロック図である。図３は、人体センサー１の本体部２を、説明の便宜のために、要素ごとに分離した状態として示している。図３の本体部２は、要素ごとに分離しているが、実際に製造されて使用される人体センサー２の本体部２は、図１、図２のように、一体となっている。
【００７６】
人体センサー２は、大きく本体部２、制御手段３および本体部２と制御手段３とを電気的に接続する導電ケーブル４を備えている。図１〜図３では、本体部２、制御手段３および導電ケーブル４が別体として示されているが、一部もしくは全部が一体で構成されても良い。要は、機能としての要素として、本体部２、制御手段３および導電ケーブル４が把握されれば良く、物理的、視覚的に一体であるか別体であるかの必要性はない。
【００７７】
本体部２は、人体１０の圧力を受けることが可能であるように、ベッド１１の座面１２に設置される。もちろん、ベッド１１以外に適用される場合には、そこに設置されれば良い。
【００７８】
本体部２は、人体１０の少なくとも一部からの圧力を受けることが可能な平面状の第１電極２１と、第１電極２１と離隔して対向する平面状の第２電極２２と、第１電極２１と第２電極２２との間に介在する導電部２３を備える。また、必要に応じて、第１電極２１と導電部２３との間に、絶縁部２４を備えても良い。絶縁部２４は、第２電極２２と導電部２３との間に備わっても良い。第１電極２１に付与される人体１０の圧力によって、第１電極２１および第２電極２２は、その離隔距離を狭めて接触を生じさせ、導電部２３を介して電気的に接続する。このため、第１電極２１に付与される圧力の変化によって、第１電極２１と第２電極２２との接触状態が変化して（距離的な変化、点接触する数の変化、面接触する面積の変化などによる）、第１電極２１と第２電極２２との接続抵抗値が変化する。
【００７９】
制御手段３は、第１電極２１および第２電極２２と、導電ケーブル４で電気的に接続される。導電ケーブル４は有線であっても無線であってもよい。制御手段３は、第１電極２１と第２電極２２との接続抵抗値、第１電極２１と第２電極２２との導電電流値および第１電極２１と第２電極２２との導電電圧値の少なくとも一つを計測する計測部５と、接続抵抗値、導電電流値および導電電圧値の少なくとも一つにおける、大きさ、変化状態、変化量、時間との関係および積分値の少なくとも一つに基づいて、人体１０の状態を推定する推定部６と、を備える。
【００８０】
ここで、第１電極２１および第２電極２２における「第１」、「第２」は、便宜上の名称であり、第１電極２１と第２電極２２が厳密に区別されるものではない。すなわち、人体１０の圧力を受けるのは第１電極２１であるとして記載しているが、本体部２が備える一対の電極の一方が、人体１０に対向する位置に配置されて、人体１０の圧力を受ければよいものである。すなわち、本体部２がベッド１１に配置された際に、人体１０側の電極が、第１電極２１であるということであり、物理的に特定された第１電極２１が、人体１０と逆側（ベッド１１の座面１２側）に配置されたからといって、本発明の範囲外というものではない。また、第２電極２２も、第１電極２１などを介して、間接的に人体１０の圧力を受けてもよい。
【００８１】
また、導電部２３は第１電極２１および第２電極２２と別体であってもよいし、第１電極２１および第２電極２２のいずれかと一体であっても良い。また、絶縁部２４は、導電部２３と一体であってもよいし、第１電極２１および第２電極２２のいずれかと一体であっても良い。すなわち、絶縁部２４は、第１電極２１、第２電極２２および導電部２３のいずれかに備わっている状態でも良い。なお、絶縁部２４は、第１電極２１および第２電極２２の少なくとも一方に、圧力が加わっていないときに、第１電極２１と第２電極２２とが導電しないようにするためのものであるので、第１電極２１と第２電極２２とが、圧力付与の無い状態で、確実に離隔できる場合などには不要である。
【００８２】
人体センサー１は、このような第１電極２１と第２電極２２との接続抵抗値を、計測部５を用いて測定する、計測部５は、計測した接続抵抗値を推定部６に出力し、推定部６は、設定された種々のアルゴリズムに基づいて、人体１０の状態を推定する。
【００８３】
（動作手順）
次に、人体センサー１の動作手順について説明する。なお、計測部５は、接続抵抗値、導電電流値および導電電圧値の少なくとも一つを計測するが、ここでは、接続抵抗値を例として説明する。接続抵抗値、導電電流値および導電電圧値のそれぞれは、オームの法則によって一義的な関連性を有するので、接続抵抗値に基づいて説明することは、導電電流値もしくは導電電圧値に基づいて説明することと同義だからである。
【００８４】
本体部２は、ベッド１１の座面１２など、人体１０の下に配置される。人体１０の不快感を防止するために、シーツ１４の下に、本体部２が配置されても良い。本体部２は、図２、図３に示されるように、圧力が何もなければ、離隔した状態で相互に対向する第１電極２１と第２電極２２を有する。また、上述の通り、第１電極２１と第２電極２２との間に、導電部２３および絶縁部２４が介在している。ここで、隔離とは、第１電極２１と第２電極２２とが、絶縁状態となるように物理的に離隔している状態も、絶縁部２４による絶縁状態も含む。
【００８５】
第１電極２１と第２電極２２は、導電部２３によって相互に導電（通電）する素材構成であればよい。このため、第１電極２１は、第２電極２２と対向する対向面を導電性素材で形成し、第２電極２２は、導電部２３を、第１電極２１との対向面に備える構成でも良い。この場合には、絶縁部２４は、図３のように、孔２５を備えており、この孔２５の部分で、第１電極２１の対向面と導電部２３とが接触することで、第１電極２１と第２電極２２とが通電する。このとき、第１電極２１に加わる人体１０の圧力の大きさや分布によって、第１電極２１の対向面と導電部２３との接触状態が変化する。この接触状態の変化によって、第１電極２１と第２電極２２との接続抵抗値が変化する。
【００８６】
本体部２は、人体１０の下に設置される。人体１０が本体部２の上に存在していない場合には、第１電極２１には、人体１０の圧力が付与されない。一方、本体部２の上に人体１０がある場合には、人体１０の体重、体型、動きなどによって第１電極２１には、圧力が付与される。第１電極２１および第２電極２２は、平面状であって柔軟性を有するので、本体部２の上に存在する人体１０の圧力によって、変形しつつ圧力を受ける。この変形によって、第１電極２１と第２電極２２との離隔距離が、部位によって変化する。この離隔距離の変化によって、導電部２３や絶縁部２４（あるいは孔２５）によって、第１電極２１と第２電極２２とが接触する。
【００８７】
このとき、人体１０による圧力の付与は、第１電極２１の平面の部位によって様々であるので、第１電極２１と第２電極２２の対向面全体でみると、接触の度合いもばらつく。この結果、第１電極２１と第２電極２２との間の接続抵抗値も、人体１０の圧力の付与状態によって、異なる。
【００８８】
計測部５は、第１電極２１および第２電極２２と導電ケーブル４によって電気的に接続しているので、第１電極２１と第２電極２２の間の接続抵抗値を計測できる。ここで、接続抵抗値は、第１電極２１（言い換えれば本体部２）に加わる人体１０の圧力によって異なる。更にいえば、接続抵抗値は、人体１０による圧力の変化に応じて変化する。
【００８９】
このことを利用して、推定部６は、接続抵抗値の大きさ、変化状態、変化量、微分量、時間との関係および積分値の少なくとも一つに基づいて、人体１０の状態を推定する。例えば、接続抵抗値が小さい場合には、平面状の第１電極２１と第２電極２２とは、広い面積にわたって接触していると考えられる。これは、人体１０が、第１電極２１の広い領域に渡って乗っている状態なので、推定部６は、人体１０を、就寝状態であると推定する。逆に、接続抵抗値が大きい場合には、第１電極２１と第２電極２２とが、広い面積で離隔している状態であると考えられる。この場合、推定部６は、人体１０が離床状態であると推定する。もちろん、離床状態は、正常な離床状態、異常な離床状態（人体１０のベッド１１からの落下など）のいずれも含む。このため、推定部６は、接続抵抗値の変化を踏まえて、人体１０のより細かな状態を推定できる。
【００９０】
このように、推定部６が、接続抵抗値に基づいて、人体１０の状態を推定できれば、病院や施設の管理者は、患者や介護対象者の危険性を早期かつ高い精度で検出できる。この結果、患者や介護対象者の安全性も高まり、病院や施設の管理能力も高まる。
【００９１】
次に各部の詳細について説明する。
【００９２】
（本体部）
本体部２は、人体１０の圧力を受けて、通電しつつ接続抵抗値を変化させる第１電極２１や第２電極２２を備える要素である。このため、本体部２は、人体１０と直接的もしくは間接的に接触する要素になる。人体センサー１が、入院患者や介護対象者などの、ベッド上で生活を送る使用者を対象とする場合には、本体部２は、ベッド上に設置されて、人体１０からの圧力を受ける。あるいは、人体センサー１が、車椅子を使用する使用者を対象とする場合には、車椅子に設置されて、人体１０からの圧力を受ける。
【００９３】
本体部２は、第１電極２１とこれに対向する第２電極２２との接続抵抗値の変化を検出できる構造を有していれば、どのような構成であっても良い。図３のように、第１電極２１と第２電極２２との通電を実現する導電部２３と、圧力が掛からない場合に、誤った導電を生じさせないための絶縁部２４を、第１電極２１と第２電極２２との間に備えることもよい。第１電極２１〜絶縁部２４のそれぞれの要素が、別体であるか一体であるかについては、上述の通り、製造や使用の容易性に鑑みて決定されればよい。
【００９４】
絶縁部２４は、絶縁性の素材の一部に設けられる複数の孔２５を備えることも好適である。第１電極２１と第２電極２２に圧力が加わって、相互の距離が縮まる際に、孔２５の部分で第１電極２１と第２電極２２とが、導電部２３を介して通電して、接続抵抗値が下がる。逆に、圧力の付与がないか弱い場合には、孔２５があっても、絶縁部２４の絶縁素材による絶縁力によって、第１電極２１と第２電極２２との接続抵抗値が上がる。このように、絶縁部２４の絶縁性素材の一部に孔２５が備わることで、第１電極２１と第２電極２２との間の接続抵抗値の変化が、第１電極２１に付与される圧力に従いやすくなる。
【００９５】
このような接続抵抗値の変化を実現するために、第１電極２１、第２電極２２および導電部２３は、人体１０の下面に配置されることが好ましい。もちろん、シーツやカバーを介して、ベッド１１の座面１２に配置されて、人体１０への不快感を低減することも良い。
【００９６】
第１電極２１、第２電極２２、導電部２３および絶縁部２４のそれぞれは、平面状であって、柔軟性を有していることが好ましい。平面状であることで、人体１０からの広い範囲での圧力を受けるようになるからである。柔軟性があることで、ベッド１１の座面、シーツの湾曲、人体１０の曲面にも対応しやすくなるからである。それぞれは、布、不織布などの素材で形成されれば良く、導電部２３や絶縁部２４は、それぞれ導電および絶縁機能を生じさせる素材で形成されれば良い。
【００９７】
また、後述のように、人体１０の状態を推定するに当たっては、人体１０の上半身の変化を見ることが好適であるので、ベッド１１の座面１２において、人体１０の上半身に対応する位置に、本体部２（すなわち、第１電極２１、第２電極２２、導電部２３および絶縁部２４）が、配置されることが好ましい。
【００９８】
（制御手段）
制御手段３は、第１電極２１と第２電極２２との接続抵抗値を計測して人体１０の状態を推定する。
【００９９】
計測部５は、第１電極２１および第２電極２２と導電ケーブル４によって電気的に接続している。計測部５は、第１電極２１および第２電極２２と電気的に接続されていれば良いので、有線の導電ケーブル４だけでなく、無線によって電気的に接続されることでも良い。また、計測部５は、接続抵抗値、導電電流値および導電電圧値の少なくとも一つを計測する。計測した結果を、計測部５は、推定部６に出力する。
【０１００】
推定部６は、計測部５から受けた接続抵抗値、導電電流値および導電電圧値の少なくとも一つに基づいて、人体１０の状態を推定する。なお、接続抵抗値、導電電流値および導電電圧値のそれぞれは、オームの法則で一義的に関連するので、推定部６は、いずれか一つに基づいて人体１０を推定できる。
【０１０１】
接続抵抗値は、人体１０が本体部２に圧力を付与している状態によって変化するので、接続抵抗値は、人体１０の状態や状態変化を推定する基準となる。
【０１０２】
推定部６は、人体１０を、「寝返り状態」、「離床状態」、「正常な離床状態」、「転落による離床」、「着床状態」、「危険状態」のいずれかで推定する。ここで、危険状態は、危険の種類や危険に続いて生じうる状態を含むが、推定部６は、まず危険状態を推定する。推定部６は、危険の種類や危険に続いて生じうる状態については、必要に応じて推定する。また、寝返り状態は、人体１０に問題が無い場合も含み、人体１０の病状等に異変が生じている場合も含む。危険状態と同様に、推定部６は、人体１０の異変まで推定しても良いし、寝返りまでを推定して、異変については、管理部門判断やその他の処理にゆだねても良い。
【０１０３】
なお、寝返り状態とは、人体１０が仰向けや横向きなどにごろごろと転がっている状態を示す。すなわち、寝返り状態の人体１０は、横向きになって肩や身体の側面によって本体部２に圧力を付与していたり、仰向けに戻って、背中によって本体部２に圧力を付与していたりする。このため、寝返り状態では、人体１０によって付与される圧力は、その大きさが変化したり、付与位置が変化したりする。
【０１０４】
病院や介護施設などにおいては、人体１０の状態を遠隔的に把握したい。着床状態であれば、管理部門は、人体１０への特別な考慮や対応を不要とできる。寝返り状態では、管理部門は、人体１０への特別な考慮や対応を不要としても良い。あるいは、寝返り状態を病状の異変などと判断して、管理部門は、人体１０への対応を行うように判断しても良い。
【０１０５】
離床状態の場合には、管理部門は、人体１０が正常に離床しているとして、特別な対応をしなくてもよい。あるいは、管理部門は、人体１０が、徘徊などの問題を生じさせているとして、訪問や確認などの対応を行っても良い。転落状態や危険状態であると推定される場合には、管理部門は、人体１０に問題が生じているものとして、訪問や確認などの早期対応を行う。
【０１０６】
以上のように、推定部６が、「寝返り状態」、「離床状態」、「正常な離床状態」、「転落による離床」、「着床状態」、「危険状態」のいずれかを推定することで、管理部門は、人体１０である患者や介護対象者の問題を早期に検出できる。検出が早期であることで、患者や介護対象者に生じるシビアな問題を事前に回避できる。
【０１０７】
（人体の状態推定）
次に、制御手段３による、人体１０の状態推定の詳細について説明する。
【０１０８】
計測部５は、接続抵抗値を、所定の第１閾値、第２閾値で区分される、「大」、「中」、「小」のいずれかで計測する。図４は、本発明の実施の形態１における接続抵抗値の分類を示すグラフである。接続抵抗値は、人体１０の体位や状況変化に応じて変化する。第２閾値未満においては、計測部５は、接続抵抗値を「小」として計測する。第２閾値以上第１閾値未満においては、計測部５は、接続抵抗値を「中」として計測する。第１閾値以上においては、計測部５は、接続抵抗値を「大」として計測する。もちろん、計測部５は、アナログ的に接続抵抗値を計測し、その後で、「大」、「中」、「小」に分類しても良い。あるいは、計測部５は、図４のグラフに示される接続抵抗値をアナログ的に計測するだけで、推定部６が、「大」、「中」、「小」に分類しても良い。
【０１０９】
ここで、大、中、小は、便宜上の用語であり、人体センサー１の仕様や使用者の設定に応じて、接続抵抗値の値を、第１閾値と第２閾値とによって分類すればよい。第１閾値および第２閾値は、使用者によって、可変的に設定できることも好適である。
【０１１０】
接続抵抗値が大である場合には、第１電極２１と第２電極２２とが接触していないと考えられるので、人体１０が本体部２に圧力を付与していない状態である。接続抵抗値が中である場合には、第１電極２１と第２電極２２とが、部分的に接触していたり、不十分ながら接触していたりする状態であると考えられるので、人体１０が本体部２に一定の圧力を加えている状態である。接続抵抗値が小である場合には、第１電極２１と第２電極２２とが、広い領域で接触していたり、十分な圧力で接触していたりする状態であると考えられるので、人体１０は、本体部２の上に寝ている状態と考えられる。
【０１１１】
これらの特性を利用して、推定部６は、ある時点での接続抵抗値に基づいて、人体１０の状態を推定できる。ある時点での接続抵抗値が「大」である場合には、推定部６は、人体１０を離床状態として推定する。ある時点での接続抵抗値が「中」である場合には、推定部６は、人体１０を寝返りや横向きであるとして推定できる。あるいは、ある時点での接続抵抗値が「小」である場合には、推定部６は、人体１０を着床（就寝）状態であると推定できる。
【０１１２】
推定部６は、このようにある時点（瞬間）での接続抵抗値に基づいて、人体１０の状態を推定しても良い。しかしながら、ある瞬間だけに着目しても、人体１０の状態を正確に推定することは難しい。人体１０そのものは、時間に沿って姿勢や体位を変化させるからである。このため、推定部６は、接続抵抗値の時間軸での変化に着目して、人体１０の状態を推定する。
【０１１３】
（寝返り状態の判定）
まず、寝返り状態の判定について説明する。
【０１１４】
推定部６は、
（１）接続抵抗値が、ある時点で「中」である場合、
（２）接続抵抗値が、「小」と「中」を繰り返す場合、
（３）所定期間における接続抵抗値の平均値が、「中」である場合、
の少なくとも一つである場合に、人体１０を寝返り状態であるとして推定する。
【０１１５】
例えば、接続抵抗値がある時点で「中」である場合には、本体部２に付与される圧力が中程度であるので、人体１０は、ベッド１１の座面１２において横向きであるか斜め向きであることが考えられる。
【０１１６】
あるいは、接続抵抗値が、「小」と「中」を繰り返す場合は、本体部２に加わる圧力が、大きくなったり中くらいになったりを繰り返している状態である。これは、人体１０が座面１２において、横を向いたり、仰向けになったりを繰り返しているものと推定される。このため、推定部６は、人体１０を寝返り状態として推定する。図５は、本発明の実施の形態１における寝返り状態を推定する場合の接続抵抗値の変化を示すグラフである。図５では、接続抵抗値の変化を、デジタル的に表している。このように、接続抵抗値が、中と小を繰り返す状態であれば、推定部６は、人体１０を寝返り状態であると推定する。
【０１１７】
あるいは、所定期間における接続抵抗値の平均値が、「中」である場合は、本体部２に加わる圧力が中程度を中心に推移している状態を示す。これは、人体１０が、座面１２で斜め方向や横方向に向いている状態を繰り返していると推定される。すなわち、これは人体１０が寝返りをしていると考えられる。このため、この場合も、推定部６は、人体１０を、寝返り状態であると推定する。
【０１１８】
次に、第１電極２１、第２電極２３および導電部２３の少なくとも一つが、人体１０の横方向に沿って複数の区画に分割される場合について説明する。第１電極２１、第２電極２２および導電部２３の少なくとも一つ（あるいは全部）が、人体１０の横方向に沿って分割されると、複数の区画が形成される。この結果、計測部５は、複数の区画ごとの接続抵抗値を計測できる。
【０１１９】
図６Ａは、本発明の実施の形態１における複数の区画を有する本体部の模式図である。本体部２において、第１電極２１、第２電極２２および導電部２３の少なくとも一つが、人体１０の幅方向を分割するように、分割されている。分割によって、区画２６Ａ、区画２６Ｂ、区画２６Ｃが形成される。
【０１２０】
図６Ｂは、この分割された導電部２３の区画２６Ａ、区画２６Ｂ，区画２６Ｃと、人体１０との関係を示している。人体の幅方向を分割するようにとは、人体の横方向（身長方向に交差する方向）に沿って、導電部２３が、区画２６Ａ〜２６Ｃに分割されていることを示す。
【０１２１】
区画２６Ａ〜２６Ｃのそれぞれは、人体１０のいずれかの部位と接触しやすい位置に対応する。例えば、端部の区画である区画２６Ａと区画２６Ｃには、人体１０が斜めや横向きになったときに、人体１０からの圧力が掛かりやすい。一方、中央の区画である区画２６Ｂには、人体が仰向けもしくはうつぶせとなっているときに、圧力が掛かりやすい。このように、導電部２３などが区画に分割されている場合には、人体１０の姿勢によって生じる圧力の変化を、区画毎の接続抵抗値によって推定することができる。
【０１２２】
計測部５は、区画２６Ａ〜２６Ｃのそれぞれにおける接続抵抗値を計測する。計測部５は、区画２６Ａ〜２６Ｃのそれぞれの計測された接続抵抗値を、推定部６に出力する。
【０１２３】
推定部６は、
（１）複数の区画２６Ａ〜２６Ｃにおいて、ある時点で、いずれかの端部の区画２６Ａもしくは区画２６Ｃにおける接続抵抗値が、中央部の区画２６Ｂにおける接続抵抗値よりも小さい場合、
（２）所定期間における端部の区画２６Ａ、２６Ｃにおける接続抵抗値の積分値が、所定期間における中央部の区画２６Ｂにおける接続抵抗値の積分値よりも小さい場合、
【０１２４】
の少なくとも一つである場合に、人体１０を、寝返り状態であると推定する。
【０１２５】
（１）の場合のように、ある時点で、端部である区画２６Ａ，２６Ｃでの接続抵抗値が小さいことは、座面１２において人体１０は、横向きや斜め向きになって端部の区画２６Ａ、２６Ｃに圧力を加えていると考えられ、寝返りをしていると推定できるからである。また、（２）の場合のように、端部の区画２６Ａ，２６Ｃでの接続抵抗値の積分値が、中央部の区画２６Ｂの接続抵抗値の積分値よりも小さいことは、座面１２において人体１０は、横向きや斜め向きになって端部の区画２６Ａ、２６Ｃに圧力を加えていると考えられる。すなわち、人体１０は寝返りしていると考えられるからである。
【０１２６】
推定部６が、人体１０を寝返り状態と推定すると、必要に応じて推定結果を管理部門に送信する。この送信結果を受けた管理部門は、患者や介護対象者が寝返りをしているものとして、特別な対応や考慮は不要であると判断できる。あるいは、寝返りをすることが容態の変化を示す場合には、管理部門は、患者や介護対象者を訪問して確認しても良い。
【０１２７】
（離床状態の推定）
次に、離床状態の推定について説明する。
【０１２８】
計測部５は、上述の通り、接続抵抗値を、「大」、「中」、「小」のいずれかで計測する。この計測結果に基づいて、推定部６は、
（１）接続抵抗値が、ある時点で「大」である場合、
（２）所定期間における接続抵抗値の平均値が、「大」である場合、
（３）所定期間以上に渡って、接続抵抗値が、「大」である場合、
の少なくとも一つである場合に、人体１０を、離床状態であると推定する。
【０１２９】
まず、（１）の場合には、ある時点での接続抵抗値が「大」であるということは、本体部２に人体１０の圧力が何らも付与されていない状態と考えられる。理由は様々であるが、人体１０は、ベッド１１の座面１２からいなくなっている状態である。このため、推定部６は、ある時点で接続抵抗値が「大」である場合には、人体１０を、離床状態として推定する。
【０１３０】
また、（２）の所定期間にわたって接続抵抗値の平均値が「大」である場合には、推定部６は、人体１０が離床しているのに等しいと考えて、離床状態として推定する。ある時点だけでなく、継続的に人体１０がベッド１１にいないものと考えられるからである。
【０１３１】
同様に、（３）の所定期間以上に渡って、接続抵抗値が「大」である場合にも、人体１０はベッド１１にいないものと考えられるので、推定部６は、離床状態として推定する。平均値で考える場合も、値そのもので考える場合も、人体１０がベッド１１にいないと考えられるからである。
【０１３２】
ここで、離床状態は、正常な離床（患者や介護対象者が自身の意思で、ベッド１１を離れていたり、診察や治療などの明確な理由で、ベッド１１を離れていたりする状態）である場合と、落下や徘徊などの非正常の場合とを含む。推定部６は、接続抵抗値に基づいて、正常な離床状態であるか非正常であるかを区別して推定できる。
【０１３３】
（正常な離床との推定）
推定部６は、
（１）接続抵抗値が、「大」となる前に、「小」、「中」の順序で、変化する場合、
（２）接続抵抗値が、「大」となる前に、「中」の状態を示す場合、
のいずれかの場合に、人体１０は、正常な離床であると推定する。
【０１３４】
人体１０が、就寝状態から徐々に自分の意思で徐々に起き上がって離床する場合には、人体１０は、上半身を徐々に起こしながら、ベッド１１から降りる。このため、人体１０による本体部２へ付与される圧力は、徐々に減少することになる。この圧力の変化によって、接続抵抗値は、「小」、「中」、「大」の順序で変化する。
【０１３５】
このため、推定部６は（１）の接続抵抗値が、「大」となる前に、「小」、「中」の順序で、変化する場合には、人体１０が自分の意思で徐々に起き上がってベッド１１から降りたものであるとして、正常な離床であると推定する。
【０１３６】
あるいは、寝返り状態や上半身を横向きにしているなどの状態から、人体１０が自分の意思で起き上がってベッド１１から降りることもある。この場合には、接続抵抗値が「小」である状態からの変化が生じるのではなく、接続抵抗値が「中」から変化する。すなわち、（２）のように、接続抵抗値が、「大」となる前に、「中」の状態を示す。この場合も、推定部６は、人体１０を正常な離床であると判定する。
【０１３７】
（着床と同様との判断）
また、人体１０の圧力が本体部２に付与されていない場合には、第１電極２２と第２電極２３との間の接続状態がないので、接続抵抗値は、「大」となる。このため、ある時点での接続抵抗値が「大」である場合には、推定部６は、人体１０を離床状態として推定できる。
【０１３８】
しかしながら、離床状態であるとしても、人体１０である患者や介護対象者が、僅かな時間起き上がったり、ベッド１１の脇のテーブルなどから物を取り出そうとしてベッド１１から僅かな時間降りたりしただけのこともある。この場合に離床状態として推定されると、管理部門にとっては、余分なケアが必要になってしまう問題が生じる。患者や介護対象者にとっても、迷惑である。
【０１３９】
このような問題に対応するため、推定部６は、接続抵抗値が「大」であると計測された時点から所定期間内に、接続抵抗値が「小」もしくは「中」となる場合には、人体１０を、着床状態であると推定する。例えば、ある時点で、接続抵抗値が「大」に変化しても、それから数秒程度〜数１０秒程度以内に、接続抵抗値が「小」や「中」に変化することは、患者や介護対象者が、すぐにベッド１１に戻ってきている状態を示している。このような場合を考慮して、推定部６は、着床状態であるとして推定する。
【０１４０】
もちろん、所定期間を仕様や状況に応じて可変的に設定することで、一旦接続抵抗値が大となった後での接続抵抗値の変化が生じる場合を、着床状態であるとして推定することを、可変できる。
【０１４１】
（転落の推定）
離床状態が、危険な離床である場合には、転落の場合がある。患者や介護対象者が、ベッド１１から転落した場合には、早期に発見して処置をとることが重要である。発見や処置が遅れれば、患者や介護対象者にとって危険な状態となりうるからである。
【０１４２】
推定部６は、接続抵抗値がある時点で「大」を示す前に、「小」の状態を示していた場合には、人体１０を転落による離床であると推定する。すなわち、接続抵抗値が「小」から「大」に変化する場合（接続抵抗値「中」を経過しない場合）は、就寝状態から急にベッド１１から患者や介護対象者がいなくなった状態を示すと考えられる。この原因の一つは、人体１０のベッド１１からの落下である。
【０１４３】
このため、推定部６は、接続抵抗値がある時点で「大」を示す前に、「小」の状態を示していた場合には、人体１０を落下による離床状態であると推定する。落下であることが推定されれば、推定結果を受けた管理部門は、即座に落下した患者や介護対象者に対応できる。これは、患者や介護対象者にとっての安心・安全を確保できるだけでなく、管理部門の信頼性向上にも役立つ。
【０１４４】
接続抵抗値が、小から大へ変化する変化時間、変化度合いなどに基づいて、推定部６は、人体１０を落下による離床状態として推定しても良い。
【０１４５】
（危険状態の推定）
人体１０は、その動作、体位変化、姿勢変化、行動などによって、本体部２への圧力の付与を変化させる。上述の落下のようにはっきりした危険状態に陥っているわけではないが、危険な状態に近づいていたり、危険性の蓋然性が高い状態であったりする場合もある。
【０１４６】
推定部６は、このような危険状態を推定して、管理部門に通知可能にすることも好適である。危険状態の通知を受けた管理部門は、患者や介護対象者への早期の退所を行えるからである。
【０１４７】
計測部５は、接続抵抗値を「大」、「中」、「小」のいずれかで計測する。推定部６は、
（１）接続抵抗値が、「大」と「小」を、繰り返す場合、
（２）所定期間における「大」となる回数が所定数以上である場合、
（３）所定期間における「大」となる時間量が、所定数以上である場合、
（４）所定期間において、接続抵抗値が、「大」、「中」、「小」同士の変化を、頻発する場合、
の少なくとも一つである場合に、人体１０を、危険状態であると推定する。
【０１４８】
（１）の接続抵抗値が大と小を繰り返すということは、例えば、人体１０が、ベッド１１から降りたりベッドに寝たりを繰り返していたり、人体１０が、上半身を座面１２から起こしたり座面１２に戻したりを繰り返したりしている状態と考えられる。人体１０である患者や介護対象者が、体調や具合が悪いことで、このような行動を繰り返している可能性がある。あるいは、患者や介護対象者が、不快を感じて、このような繰り返し行動をしている可能性がある。
【０１４９】
このような状態を放置することは、患者や介護対象者の容態の急変をもたらしかねず、非常に危険性が高い蓋然性がある。このため、推定部６は、（１）の接続抵抗値が大と小を繰り返す場合には、危険な状態であるとし、人体１０を危険状態として推定する。
【０１５０】
また、（２）の所定期間における「大」となる回数が所定数以上であるということは、ある期間において、人体１０が、起き上がったり、ベッド１１から降りたりする回数が多いことを示している。人体１０である患者や介護対象者が、頻繁に起き上がったり、ベッド１１から降りたりする状態は、患者や介護対象者が、予測不能な行動を生じさせている可能性がある。例えば、精神疾患の患者であれば、挙動不審の状態であり、放置しておくことは、患者や介護対象者にとって好ましくない。このため、推定部６は、このような接続抵抗値の検出がある場合には、人体１０を危険状態であると推定する。
【０１５１】
なお、ここでの所定期間は、適宜定められれば良い。患者や介護対象者の容態や病状レベルに応じて、所定期間が増減されればよい。容態の重い患者や介護対象者であれば、所定期間を短くすることが好適である。逆であれば、長くすれば、管理部門の負担軽減にもなる。
【０１５２】
また、（３）の所定期間における「大」となる時間量が、所定数以上であるとは、不用意に患者や介護対象者がベッド１１から離床している可能性を示唆している。もちろん、正常な離床である場合もあるが、患者や介護対象者の予測不能な行動に基づく場合もある。例えば、徘徊である。あるいは、患者や介護対象者が、禁止されている外出を行っている可能性もある。このような状態を放置することは、患者や介護対象者の容態の急変を生じさせたり、施設におけるモラル低下を引き起こしたりする可能性がある。
【０１５３】
このため、この（３）のような場合にも、推定部６は、人体１０を危険状態であるとして推定する。管理部門は、問題を未然に防止しやすくなり、患者や介護対象者へのサービス向上および施設の信頼性向上を実現できる。
【０１５４】
また、（４）の所定期間において、接続抵抗値が、「大」、「中」、「小」同士の変化を、頻発する場合には、患者や介護対象者が、起き上がったり、寝たり、あるいは横向きになったりなどの、不可解な動作や姿勢変化を繰り返している状態と考えられる。例えば、患者や介護対象者は、寝苦しさを感じていたり、具合が悪くなっていたりする。
【０１５５】
このため、推定部６は、このような接続抵抗値の変化の場合にも、人体１０を危険状態であるとして推定する。実際には、患者や介護対象者が容態急変ではないかも知れないが、蓋然性の高い状態を早期に推定できることで、管理部門による早期対応が可能となる。
【０１５６】
（危険状態の推定その２）
推定部６は、
（１）接続抵抗値が、所定時間内に、「小」から「大」に変化する場合、
（２）接続抵抗値が、所定時間内に、「大」から「小」に変化する場合、
の少なくとも一つである場合に、人体１０を、危険状態であると推定する。
【０１５７】
（１）の接続抵抗値が、所定時間内に、小から大に変化する場合とは、例えば急激に小から大に変化する場合や、ある一定時間内に（短い時間内に）小から大に変化する。これらは、就寝状態であった患者や介護対象者が、急にベッド１１からいなくなってしまったような状態を示していると考えられる。正常な状態で離床したことも考えられるが、不測の事態で離床した可能性も含まれる。
【０１５８】
図７は、本発明の実施の形態１における危険状態の推定２の基礎となる接続抵抗値の変化を示すグラフである。グラフの左半分は、上記（１）のように、接続抵抗値が小から大に変化する場合である。グラフの右半分は、上記（２）のように、接続抵抗値が大から小に変化する場合である。いずれも、変化の度合いが急峻であり、離床と就寝状態との相互変化が急である場合を示していると考えられる。つまり、接続抵抗値が大と小との変化をすることも、変化度合いが急峻であることも、危険状態の推定２では、推定部６は、対応する。
【０１５９】
このため、推定部６は、所定期間（特に、短い期間内に）に、接続抵抗値が小から大に変化する場合には、人体１０を危険状態であると推定する。危険状態となる蓋然性を含んでいると考えられるからである。
【０１６０】
また、逆に（２）のように、所定期間内（特に、短い期間内に）に、接続抵抗値が大から小へ変化する場合も、患者や介護対象者が、スムーズな動作をしていないと考えられる。例えば、患者や介護対象者が、離床した後で具合が悪くなり、倒れるようにベッド１１に倒れこむ場合が想定される。この場合も、放置することは、患者や介護対象者にとって、危険な状態となりうる。
【０１６１】
このため、この（２）の場合にも、推定部６は、人体１０を危険状態として推定する。この推定を受けた管理部門は、病床を訪問するなどして、早期に対応できる。
【０１６２】
（危険状態の推定３）
推定部６は、所定期間以上に渡って、接続抵抗値が「大」である場合には、人体１０を、危険状態であると推定する。接続抵抗値が大であるということは、患者や介護対象者が離床している状態を示していると考えられる。当然ながら、正常な離床状態である場合もあるが、長時間にわたって離床状態であることは、患者や介護対象者が、徘徊している可能性もある。徘徊状態であることは、患者や介護対象者にとって問題を生じさせる可能性がある。
【０１６３】
このため、このような場合も、推定部６は、危険状態であると推定する。なお、所定期間以上に渡って接続抵抗値が「大」であることは、徘徊や違反外出などの危険状態であることを含みつつ、正常な離床を含むことがある。このため、患者や介護対象者の特性に合わせて、所定期間を可変的に設定することが好適である。例えば、重病患者であれば、自発的な離床は考えにくい。この場合には、所定期間を短くすることで、危険状態を早期に検出できる。
【０１６４】
（危険状態の推定４）
第１電極、導電部および第２電極を含む本体部２が、ベッド１１の座面１２であって、人体１０の上半身および下半身に設置される場合がある。上半身および下半身の両方の圧力に基づいて、より精密に人体１０を推定することも好適である。
【０１６５】
図８は、本発明の実施の形態における人体センサーを設置した状態を示す模式図である。図１の場合と異なり、座面１２の上に、２つの本体部２が設置されている。一つの本体部２は、人体１０の上半身に設置され、もう一つの本体部２は、人体１０の下半身に設置される。上半身の本体部２は、上部接続抵抗値を生じさせ、下半身の本体部２は、下部接続抵抗値を生じさせる。
【０１６６】
計測部５は、上半身における上部接続抵抗値と下半身における下部接続抵抗値と、のそれぞれを、「大」、「中」、「小」のいずれかで計測して推定部６に出力する。
【０１６７】
推定部は、
（１）上部接続抵抗値が「小」もしくは「中」であって、下部接続抵抗値が「大」である、
（２）上部接続抵抗値が「大」であって、下部接続抵抗値が「小」もしくは「中」である、
の少なくとも一つである場合に、人体１０を、危険状態であると推定する。
【０１６８】
（１）の上部接続抵抗値が小もしくは中であって、下部接続抵抗値が、大である場合は、上半身は、ベッド１１の座面１２に一定の圧力を付与しているが、下半身は、座面１２に圧力を付与していないと考えられる。これは、患者や介護対象者の足が、ベッド１１からずり落ちている状態の場合を含んでいる。この状態を放置すると、患者や介護対象者が落下するなどの問題が生じる。このため、推定部６は、この（１）の場合には、人体１０を危険状態であると推定する。
【０１６９】
また、（２）の上部接続抵抗値が「大」であって、下部接続抵抗値が「小」もしくは「中」である場合は、上半身だけが、ベッド１１からはみ出ている可能性を示唆している。上半身がベッド１１からはみ出ている状態であれば、そのまま落下する可能性もあり、患者や介護対象者にとって危険である。
【０１７０】
このため、この場合にも、推定部６は、人体１０を危険状態であると推定する。推定されれば、管理部門による早期の対処が可能となり、患者や介護対象者へのリスク管理が図られる。
【０１７１】
もちろん、大、中、小の値の設定を変化させることや、本体部２の設置位置を詳細に設定することで、危険状態の推定精度は更に向上する。
【０１７２】
以上のように、危険状態であると推定される場合には、この推定結果を受けた管理部門が、適切な対応をとることができる。例えば、病院や介護施設であれば、看護師や医師を、早期に患者や介護対象者の病床に派遣することもできる。この結果、患者や介護対象者にとって、安心感が高まる。当然、管理部門にとっても信頼性の向上や管理の容易性などのメリットが高まる。
【０１７３】
なお、ここで説明した接続抵抗値の分類は、仕様に応じた一例であり、適宜定められれば良い。また、大、中、小の定義は、一義的なものではなく、仕様に応じて可変であればよい。
【０１７４】
（実施の形態２）
【０１７５】
次に、実施の形態２について説明する。実施の形態２は、危険状態や落下状態などで推定された場合に、管理部門へ警告を発する態様を説明する。
【０１７６】
推定部６は、人体１０の状態を、危険状態や離床状態などとして推定する。この推定結果に基づいて、管理部門が、適切な処置や対応をとることは、患者および管理部門の双方にとって好ましい。実施の形態２における人体センサー１は、推定部６が推定した推定結果を、管理部門に警告として通知する、通知部を更に備える。
【０１７７】
図９は、本発明の実施の形態２における人体センサーのブロック図である。図２などと同じ符号は、同様の機能を有する要素であり、必要に応じて説明を省略する。
【０１７８】
人体センサー１は、通知部７を更に備える。通知部７は、推定部６での推定結果を、管理部門１００に通知する。通知部７は、本体部２に設けられても良いが、推定部６での推定結果を通知することから、推定部６と同じく制御手段３に設けられてもよい。このため、通知部７は、導電ケーブル４によって、本体部２と間接的に接続される。推定部６と通知部７との電気的な接続によって、電気信号をやり取りして、通知部７は、推定結果を通知できる。
【０１７９】
推定部６は、離床状態、着床状態、危険状態、転落による離床状態など、様々な状態を、推定する。これらの推定結果は、逐次管理部門１００に通知されることが好ましい。着床状態や問題のない離床状態であれば、これらの推定結果は、即座に管理部門１００に通知されなくても問題ない。もちろん、着床状態や問題のない離床状態も、即座に管理部門１００に通知されることで、管理部門１００は、患者や介護対象者を十分に管理できる。
【０１８０】
一方、危険状態や転落による離床状態などの推定結果は、即座に管理部門１００に通知されることが好ましい。即座に通知されることで、管理部門１００は、患者や介護対象者の問題に早期に対処できるからである。このため、問題のない推定結果が得られる場合には、通知部７は、通知しないかもしくは事後的に通知してもよい。あるいは、通知部７は、通知においては緊急性や警告性を生じさせない通知を行っても良い。一方、問題のある推定結果が得られる場合には、通知部７は、即座かつ警告性をもって通知を行うことが好適である。
【０１８１】
後者の場合には、通知部７は、音、発光、施設内放送および電子メールの少なくとも一つを用いて警告を発する。この警告によって、管理部門１００は、患者や介護対象者の問題を早期に把握できる。早期に把握した管理部門１００は、スタッフを病室に派遣するなど、早期の対応を行える。結果として、患者や介護対象者の安心、および管理部門１００の信頼性向上が得られる。
【０１８２】
通知手段７は、有線や無線によって、電気信号を管理部門１００に送信して、管理部門１００に通知しても良い。通知部７は、一つの人体センサー１に一つずつ備わっていても良いし、複数の人体センサー１に対して、一つの通知部７が備わっていても良い。一つの通知部７が、複数の人体センサー１に対応する場合には、複数の推定部６と、無線もしくは有線で、この一つの通知部７が接続されれば良い。
【０１８３】
また、通知部７は、管理部門１００に備わる放送機器、携帯端末、携帯電話機などと連動して動作するものでも良い。また、通知部７は、管理部門１００だけではなく、患者や介護対象者の家族などに通知を行っても良い。
【０１８４】
実施の形態２における人体センサー１は、推定結果を確実に管理部門１００に通知できるので、患者や介護対象者へのケア対応が更に高まる。
【０１８５】
（実施の形態３）
【０１８６】
次に、実施の形態３について説明する。実施の形態３は、実施の形態１で説明した推定部６の推定結果に合わせて、患者や介護対象者への利便性を更に高める人体センサー１を説明する。
【０１８７】
図１０は、本発明の実施の形態３における人体センサーのブロック図である。図１０に示される人体センサー１は、その制御手段３において、調整部８を備えている。調整部８は、推定部６の推定結果に基づいて、人体１０である患者や介護対象者の快適性や利便性を向上させるために、照明機器、空調機器、映像機器および音響機器を調整する。人体１０の推定結果によっては、患者や介護対象者にとっての快適性のレンジが変わるからである。
【０１８８】
例えば、照明機器は、照度や明度を変えることができる。患者や介護対象者が正常な就寝や寝返り状態などの変化を生じさせる場合には、照明機器に要求される照度は異なる。同様に、空調機器は、その設定温度を変えることができる。患者や介護対象者が正常な就寝や寝返り状態などの変化を生じさせる場合には、空調機器に要求される設定温度は異なる。
【０１８９】
このため、調整部８は、照明機器、空調機器、映像機器および音響機器のそれぞれの設定を調整する。
【０１９０】
例えば、推定部６での人体１０の推定結果が、寝返り状態である場合がある。この場合には、人体１０である患者や介護対象者は、寝苦しさを感じている可能性がある。このため、調整部８は、照明機器の照度を低減することも好適である。照明機器の照度がまぶしくて、患者や介護対象者が寝苦しさを感じている可能性があるからである。部屋の照明機器、手元の電気スタンドなど、種々の照明機器が、施設には設置されている。調整部８は、寝返り状態との推定結果を受けて、これらの照明機器の照度を低減する。照明機器に予め備わっている照度調整を、調整部８は制御しても良いし、強制的に照明機器の照度を低減しても良い。場合によっては、調整部８は、照明機器を消灯する。
【０１９１】
また、患者や介護対象者が寝苦しさを感じている場合には、室内の温度や湿度に問題がある可能性もある。このため、調整部８は、空調機器の設定温度を調整することも好適である。具体的には、空調機器が暖房であれば、調整部８は、設定温度を低下させる。暖房が効きすぎている可能性があるからである。一方、空調機器が冷房であれば、調整部８は、設定温度を上昇させる。冷房が効きすぎている可能性があるからである。
【０１９２】
もちろん、暖房および冷房の効き目が悪いことで、患者や介護対象者が寝苦しさを感じている可能性もある。この場合には、調整部８は、暖房の設定温度を上昇させたり、冷房の設定温度を低下させたりする。このとき、調整部８は、空調機器に予め備わっている調節機能への働きかけによって、設定温度を変化させれば良い。
【０１９３】
また、推定部６での推定結果が、離床状態である場合には、調整部８は、照明機器、空調機器、映像機器および音響機器の少なくとも一つを、停止状態にしても良い。離床状態であれば、これらは必要ないことも多く、エコや省エネの観点からも停止にすることが好ましいからである。もちろん、離床する患者や介護対象者が、自らこれらの機器の停止をすれば良いが、患者や介護対象者はその肉体・精神の衰えから、これを忘れる可能性がある。このため、推定結果に基づいて、調整部８がこれら機器の停止を制御することは好適である。
【０１９４】
以上のように、実施の形態３の人体センサーは、推定結果に基づいて機器の調整を行えるので、患者や介護対象者の快適性や利便性を更に向上させることができる。
【０１９５】
（実施の形態４）
【０１９６】
実施の形態４は、実施の形態１〜３で説明した人体センサー１を用いた安全管理装置について説明する。
【０１９７】
図１１は、本発明の実施の形態４における安全管理装置の模式図である。安全管理装置は、人体センサー１（制御手段３なども含む）、受信手段２０１、通知手段２０２を備えている。受信手段２０１は、人体センサー１で推定された推定結果を受信する。受信手段２０１は、無線、有線のいずれかを用いて、推定結果を受信する。受信手段２０１は、受信結果を通知手段２０２に出力する。通知手段２０２は、受信手段２０１での受信結果を管理部門１００に通知する。
【０１９８】
受信手段２０１は、推定部６で推定された推定結果を受信する。例えば、受信手段２０１は、管理部門１００に設置されていても良い。推定部６は、無線もしくは有線で受信手段２０１に推定結果を出力する。受信手段２０１は、この推定結果を受ける。管理部門１００に設置されていることで、ある施設における受信手段２０１は、一つにまとめることができるようになる。
【０１９９】
通知手段２０２は、種々の手段で、管理部門１００に通知する。このとき、推定結果をそのままの状態で通知しても良い。例えば、寝返り状態や危険状態との情報を、そのままの状態で通知する。あるいは、これらを加工した情報として通知してもよい。例えば、危険状態である場合には、即座に患者や介護対象者を訪問したほうがよいので、通知手段２０２は、管理部門１００に患者や介護対象者を訪問することを促すように通知しても良い。
【０２００】
通知手段２０２は、管理部門１００に統一して設置されても良いし、各部屋に設置されてもよい。これは、受信手段２０１とあわせられれば良い。また、通知手段２０２は、音、発光、放送、電子メールなどの種々の手段によって、管理部門１００に通知する。いずれにおいても、効果的に管理部門１００へ警告が促されれば良い。
【０２０１】
このような安全管理装置は、病院や介護施設などの様々な場所で、好適に用いられる。
【０２０２】
なお、実施の形態１〜４で説明された人体センサーおよび安全管理装置は、本発明の趣旨を説明する一例であり、本発明の趣旨を逸脱しない範囲での変形や改造を含む。
【符号の説明】
【０２０３】
１    人体センサー
２    本体部
２１    第１電極
２２    第２電極
２３    導電部
２４    絶縁部
２５    孔
３    制御手段
４    導電ケーブル
５    計測部
６    推定部
７    通知部
８    調整部
１００    管理部門
【図１】
0005921907.tif 000002
【図２】
0005921907.tif 000003
【図３】
0005921907.tif 000004
【図４】
0005921907.tif 000005
【図５】
0005921907.tif 000006
【図６Ａ】
0005921907.tif 000007
【図６Ｂ】
0005921907.tif 000008
【図７】
0005921907.tif 000009
【図８】
0005921907.tif 000010
【図９】
0005921907.tif 000011
【図１０】
0005921907.tif 000012
【図１１】
0005921907.tif 000013